(57)【要約】【課題】人物に関する情報を簡単に入力できるアイコンの登録方法及びこれが適用されるデジタルスチルカメラを提供する。【解決手段】人物を表すアイコン画像と人物に関する識別情報との関連づけを行うアイコン登録方法であって、予め線画により表された人物のシルエットイメージのアイコン（６１）が登録されており、撮像素子を介して取得した撮影画像から人物の顔の部分を含むアイコン用の画像を作成し、前記シルエットイメージのアイコン（６１）を、前記撮影画像から作成したアイコン画像に置き換える処理を行うことを特徴とする。【選択図】  図１８
2007159152.tif 000002
【特許請求の範囲】
【請求項１】
人物を表すアイコン画像と人物に関する識別情報との関連づけを行うアイコン登録方法であって、
予め線画により表された人物のシルエットイメージのアイコンが登録されており、
撮像素子を介して取得した撮影画像から人物の顔の部分を含むアイコン用の画像を作成し、
前記シルエットイメージのアイコンを、前記撮影画像から作成したアイコン画像に置き換える処理を行うことを特徴とするアイコン登録方法。
【発明の詳細な説明】
【技術分野】
【０００１】
本発明はアイコン登録方法に係り、特に、人物を撮影してアイコン用の画像を生成し、その人物に関する情報を関連付けるアイコン登録方法及びこれが適用されるデジタルスチルカメラに関する。
【背景技術】
【０００２】
デジタルスチルカメラで記録した画像を後から整理する場合、各画像の分類、識別の助けとなるのは、例えば、画像データのファイル名、ファイルの作成日時、インデクス画像、或いは、画像データの中に情報として付加的に埋め込まれたキーワード、識別子等の識別情報であり、これらの情報を手掛かりに複数の画像データのなかから所望の画像を検索する。このように、画像にキーワードやインデックス、分類用タグ等の情報を付加し、希望の画像を検索する手法は特開平９−５０４３６号公報を始め、数多く提案されている。
【特許文献１】特開平９−５０４３６号公報
【発明の開示】
【発明が解決しようとする課題】
【０００３】
しかしながら、ファイル名やファイルの作成日時など、従来検索に利用していた情報は、どれも具体的な情報に乏しく、結局のところ個別に画像データを開いて画像を確認しなければ最終的な判別ができなかった。また、各画像毎にキーワード等の情報を付加する場合にも、後から整理、検索に役立つような具体的な情報を撮影後に、個別に入力するのは大変な労力を要する。
【０００４】
本発明はこのような事情に鑑みてなされたもので、人物に関する情報を簡単に入力できるアイコンの登録方法及びこれが適用されるデジタルスチルカメラを提供することを目的とする。
【課題を解決するための手段】
【０００５】
本発明は前記目的を達成するために、人物を表すアイコン画像と人物に関する識別情報との関連づけを行うアイコン登録方法であって、予め線画により表された人物のシルエットイメージのアイコンが登録されており、撮像素子を介して取得した撮影画像から人物の顔の部分を含むアイコン用の画像を作成し、前記シルエットイメージのアイコンを、前記撮影画像から作成したアイコン画像に置き換える処理を行うことを特徴とする。
【発明の効果】
【０００６】
本発明によれば、予め登録されているシルエットイメージのアイコンを、撮影画像から作成される人物のアイコン画像に変更することにより、カスタマイズすることができる。
【発明を実施するための最良の形態】
【０００７】
以下添付図面に従って本発明の好ましい実施の形態について詳説する。
【０００８】
図１は本発明が適用されたデジタルスチルカメラの正面外観図である。同図に示したように、デジタルスチルカメラ１の正面左上隅部には撮像部２が設けられ、該撮像部２を含むカメラの前面左側の部分は、撮影者が右手でカメラを把持し易いようにグリップ部４が形成されている。撮像部２は撮影レンズを有し、撮影レンズの後方には図示せぬＣＣＤ（撮像素子）が配置されている。撮影レンズの構成は図示されていないが、例えば、変倍群と補正群とから成るリヤフォーカス式ズームレンズが用いられる。また、カメラの正面右上隅部には補助発光部６が配設され、カメラの上面には電源スイッチ８及びシャッターボタン９が配置される。
【０００９】
図２には、図１のデジタルスチルカメラを背面側から見た様子が示されている。カメラの背面には単一の画像表示部（表示部）１０が設けられる。この表示部１０は、例えば、液晶ディスプレイ（ＬＣＤ）で構成され、表示部１０の前面には光透過性を有するタッチパネル１２が配設される。
【００１０】
図３はデジタルスチルカメラ１の内部構成を示すブロック図である。デジタルスチルカメラ１は、主として、撮像部２、信号処理部１４、内蔵メモリ（又は外部メモリ）１６、出力用メモリ１８、Ｄ／Ａ変換器２０、表示部１０、タッチパネル１２、及び中央処理装置（ＣＰＵ）２２等から成る。
【００１１】
撮像部２の撮影レンズを介してＣＣＤの受光面に結像した被写体像は、ＣＣＤにおいて光電変換され、映像信号として順次読み出される。信号処理部１４の詳細な構成は図示されていないが、信号処理部１４は、周知の如く、ＣＤＳクランプ回路やゲイン調整回路等のアナログ処理回路、Ａ／Ｄ変換器、並びに、輝度信号生成回路、色差信号生成回路、及びガンマ補正経路等のデジタル画像処理回路等を含む。
【００１２】
前記撮像部２から読み出された映像信号は、前記信号処理部１４において適宜処理され、例えば、Ｅｘｉｆ（Exchangeable image file format）ファイル規定その他の所定の形式に従って内蔵メモリ１６（例えば、カメラ内蔵のフラッシュメモリ）或いは着脱自在な外部メモリカード等の記録部に記録される。
【００１３】
また、撮影部２から読み出された映像信号や、内蔵メモリ（又は着脱自在な外部メモリ）１６から読み出された映像信号は信号処理部１４で処理された後、出力用メモリ１８に出力される。そして、その映像信号はＤ／Ａ変換器２０を介して表示部１０に導かれ、この表示部１０に撮影画像が表示される。表示部１０には、シャッターレリーズ操作によって撮影した静止画のみならず、シャッターレリーズ操作前の映像（動画、或いは間欠画）も表示が可能である。
【００１４】
尚、このデジタルスチルカメラ１は、公知の自動露出調整（ＡＥ）機能及びオートフォーカス（ＡＦ）機能を具備しており、撮影者がカメラを被写体に向けるだけで、最適な露出調整及びピント合わせが自動的に行われる。
【００１５】
ＣＰＵ２２は、カメラの各回路を統括・制御するもので、タッチパネル１２からの入力信号に基づいてタッチパネル１２の押圧位置（触れた位置）を判定するとともに、ズーミング、フォーカシング等の撮影を行うための撮像部２の制御、表示部１０における表示制御、内蔵メモリ１６への画像データの書き込み／読み出し制御等を行う。
【００１６】
図４には、撮影後の表示部１０の画面の一例が示されている。撮影後のレックレビュー（REC.review）画面は、図４に示すように、画面右側に撮影された画像が表示され、画面左端に人物の顔を表したアイコン（以下、人物アイコンという。）３０、３０、順送りボタン３４、逆送りボタン３６等の操作ボタンが縦一列に並んで表示される。詳しい内容は後述するが、撮影者は撮影後に画面左端の人物アイコン３０から被写体の顔を選択することにより、そのアイコンに登録されている人物の個人情報（人物ＩＤ）を当該画像の識別情報（被写体ＩＤ）の一つとして入力することができる。
【００１７】
図中画面左下の符号３８で示した矢印アイコンは、モード終了ボタン（リターンボタン）であり、上述の識別情報の記録後に、該アイコンを押すことによって、被写体ＩＤ付加モードから脱して撮影画面に戻るようになっている。
【００１８】
図５には、上記の如く構成されたデジタルスチルカメラのシーケンスのフローチャートが示されている。電源スイッチ８がＯＮされ、撮影モードがスタートすると、先ずシャッターボタン９が押されたか否かを判別する（ステップＳ１０１）。シャッターボタン９が押されるまで、ステップＳ１０１の処理が繰り返され、シャッターボタン９が押されたら撮影処理に移る（ステップＳ１０２）。撮影処理では、周知のＡＥ・ＡＦ機能が働いて被写体像を取り込み、その画像信号を適宜処理して画像データを生成する。
【００１９】
次いで、被写体ＩＤ付加モードに設定されているか否かを判別し（ステップＳ１０４）、被写体ＩＤ付加モードが設定されていない場合は表示部１０に撮影画像を表示して（ステップＳ１０６）、処理はステップＳ１０１に戻る。
【００２０】
被写体ＩＤ付加モードの設定方法については、種々の態様が考えられるが、例えば、撮影前に予めモード選択メニュー（不図示）等から被写体ＩＤ付加モードを選択しておいてもよいし、撮影処理（ステップＳ１０２）の後に、撮影画像とともにモード選択メニューを表示部１０に表示して、モード設定の機会を提供してもよい。
【００２１】
ステップＳ１０４で被写体ＩＤ付加モードに設定されていると判断した場合、図４で説明したように、表示部１０に撮影画像と被写体ＩＤ入力用のアイコン（この場合、人物アイコン３０）とを同時に表示する（ステップＳ１０８）。
【００２２】
次いで、送りボタン（符号３４、３６）が押されたか否かを判別する（ステップＳ１１０）。順送りボタン３４が押された場合には、表示部１０の左端（操作ボタンの表示欄）に表示されている人物アイコン３０を順送り処理して（ステップＳ１１２）、他の人物のアイコンに置き換え、ステップＳ１１０に戻る。また、ステップＳ１１０の判別において、逆送りボタン３６が押された場合には、人物アイコン３０を逆送り処理して（ステップＳ１１４）、他の人物アイコンに置き換え、ステップＳ１１０に戻る。
【００２３】
ステップＳ１１０で送りボタン（符号３４、３６）が押されていない場合、次いで、被写体ＩＤアイコン（人物アイコン３０）が選択されたか否かを判断する（ステップＳ１１６）。撮影者が所望の人物のアイコン表示を得て、その人物アイコン３０を選択した場合には、当該人物アイコン３０に登録された個人情報（人物ＩＤ）を画像データに付加して記録する（ステップＳ１１８）。例えば、Ｅｘｉｆファイル規定に沿って記録する場合には、前記個人情報をアプリケーション・マーカーセグメント（ＡＰＰ１）に記録する。尚、アイコンの登録方法については後述する（図１１乃至図１５）。
【００２４】
他方、ステップＳ１１６で撮影者が被写体ＩＤアイコンを選択しなかった場合には、ステップＳ１１８の処理を行わずに、処理はステップＳ１２０に進む。
【００２５】
ステップＳ１１８の処理後、又はステップＳ１１６で撮影者が被写体ＩＤアイコンを選択しなかった場合は、続いてリターンボタン３８が押されたか否かを判別する（ステップＳ１２０）。リターンボタン３８が押されていなければ、処理はステップＳ１１０に戻り、上述のステップＳ１１０〜ステップＳ１２０の処理が繰り返され、リターンボタン３８が押されたら、処理はステップＳ１０１に戻る。
【００２６】
これにより、撮影画像に含まれる人物の情報を識別情報として簡単に付加することができる。
【００２７】
また、アイコン操作によって画像に付加する識別情報の内容としては、上述のように人物の個人情報の他、画像の分類を示すジャンルでもよい。例えば、図６に示したように、レックレビュー画面の左端に、人物アイコン３０とともにジャンルを表すアイコン（以下、ジャンルアイコンという。）４０を表示し、人物の個人情報とジャンル情報の両方の情報を付加できるようにしてもよい。
【００２８】
具体的には、図５に示したステップＳ１１６で被写体ＩＤアイコン（人物アイコン３０）を選択し、その人物の情報を付加した後に、順送りボタン３４又は逆送りボタン３６を操作することにより、図６に示したように、人物アイコン３０の下にジャンルアイコン４０を表示させる。撮影者が、所望のジャンルアイコン４０の表示を得てそのジャンルアイコン４０を選択すると、アイコンに登録されているジャンル（図６に示すジャンルアイコンは「サッカー」）が当該画像の識別情報の一つとして入力され記録される。
【００２９】
かかる形態の操作の流れは図５に示したフローチャートと略同様であり、被写体ＩＤの部分が人物ＩＤであるか、ジャンルＩＤの違いに過ぎないので説明は省略する。
【００３０】
次に、レックレビュー画面に人物アイコンとジャンルアイコンの両方を同時に表示する他の形態を説明する。
【００３１】
図７には、撮影後の表示部１０の他の表示例が示されている。同図中図４と共通の部分には同一の符号を付し、その説明は省略する。
【００３２】
撮影後の画面において、画面左端に人物アイコン３０、３０、３０が縦一列に表示され、画面の上部にジャンルアイコン４０、４０、４０が横一列に表示される。符号４４、４６はそれぞれジャンルアイコンの順送りボタン、逆送りボタンである。
【００３３】
図８は、図７に示した形態のデジタルスチルカメラの撮影シーケンスを示すフローチャートである。電源スイッチ８がＯＮされ、撮影モードがスタートすると、先ずシャッターボタン９が押されたか否かを判別する（ステップＳ２０１）。シャッターボタン９が押されるまで、ステップＳ２０１の処理が繰り返され、シャッターボタン９が押されたら撮影処理に移る（ステップＳ２０２）。撮影処理では、ＡＥ・ＡＦ機能が働いて被写体像を取り込み、その画像信号を適宜処理して画像データを生成する。
【００３４】
次いで、被写体ＩＤマルチ付加モードに設定されているか否かを判別する（ステップＳ２０４）。被写体ＩＤマルチ付加モードが設定されていない場合は、次いで、被写体ＩＤ付加モードに設定されているか否かを判別する。被写体ＩＤ付加モードに設定されている場合には、図５で説明したステップＳ１０４〜Ｓ１２０の処理（被写体ＩＤ付加の処理）が実行され（ステップＳ２０８）、処理はステップＳ２０１に戻る。また、ステップＳ２０６において、被写体ＩＤ付加モードに設定されていない場合には、表示部１０に撮影画像を表示して（ステップＳ２１０）、処理はステップＳ２０１に戻る。
【００３５】
尚、モード設定方法は、図５の説明でも述べたように、例えば、撮影前に予めモード選択メニュー等から希望するモードを選択しておいてもよいし、撮影処理（ステップＳ２０２）の後に、撮影画像とともにモード選択メニューを表示部１０に表示するなどしてモード設定の機会を提供してもよい。
【００３６】
ステップＳ２０４において、被写体ＩＤマルチ付加モードが設定されていると判断した場合は、図７のように表示部１０に撮影画像と被写体ＩＤアイコン（人物アイコン３０及びジャンルアイコン４０）とを同時に表示する（ステップＳ２１２）。
【００３７】
次いで、人物アイコン用の送りボタン（符号３４、３６）が押されたか否かを判別する（ステップＳ２１４）。順送りボタン３４が押された場合には、表示部１０の左端に表示されている人物アイコン３０を順送り処理して（ステップＳ２１６）、他の人物のアイコンに置き換え、ステップＳ２１４に戻る。また、ステップＳ２１４の判別において、逆送りボタン３６が押された場合には、人物アイコン３０を逆送り処理して（ステップＳ２１８）、他のアイコンに置き換え、ステップＳ２１４に戻る。
【００３８】
ステップＳ２１４で送りボタン（符号３４、３６）が押されていない場合、次いで、ジャンルアイコン用の送りボタン（符号４４、４６）が押されたか否かを判別する（ステップＳ２２０）。順送りボタン４４が押された場合には、表示部１０の上部に表示されているジャンルアイコン４０を順送り処理して（ステップＳ２２２）、他のアイコンに置き換え、ステップＳ２１４に戻る。また、ステップＳ２２０の判別において、逆送りボタン４６が押された場合には、ジャンルアイコン４０を逆送り処理して（ステップＳ２２４）、他のアイコンに置き換え、ステップＳ２１４に戻る。
【００３９】
ステップＳ２２０で送りボタン（符号４４、４６）が押されていない場合、次いで、被写体ＩＤアイコン（人物アイコン３０又はジャンルアイコン４０）が選択されたか否かを判断する（ステップＳ２２６）。撮影者が所望のアイコン表示を得て、人物アイコン３０又はジャンルアイコン４０を選択した場合には、当該選択したアイコンに定義付けられた情報（人物ＩＤ又はジャンルＩＤ）を画像データに付加して記録する（ステップＳ２２８）。
【００４０】
他方、撮影者が何れの被写体ＩＤアイコンを選択しない場合は、ステップＳ２２８の処理を行わずに、処理はステップＳ２３０に進む。
【００４１】
ステップＳ２２８の処理後、又はステップＳ２２６で撮影者が被写体ＩＤアイコンを選択しない場合は、続いてリターンボタン３８が押されたか否かを判別する（ステップＳ２３０）。リターンボタン３８が押されていなければ、処理はステップＳ２１４に戻り、上述のステップＳ２１４〜Ｓ２３０の処理が繰り返され、リターンボタン３８が押されたら、処理はステップＳ２０１に戻る。
【００４２】
これにより、撮影画像に対して、人物に関する情報及びジャンルに関する情報を識別情報として簡単に付加することができる。
【００４３】
また、画像に識別情報を付加する作業は、撮影直後に限らず、撮影後の画像再生時にも行うことが可能である。即ち、再生モードで画像を再生する場合に、図９のように画面左端にＩＤ登録ボタン５０を表示して、再生時にこのＩＤ登録ボタン５０が押された場合には、図４、図６、又は図７に示したような表示画面に切り替えて、後からでも被写体ＩＤを追加、修正することができるようにする。
【００４４】
かかる場合のシーケンスを図１０に示す。再生モードが選択され、再生モード処理がスタートすると、先ず、送りボタン（符号３４、３６）が押されたか否かを判別する（ステップＳ３０１）。順送りボタン３４又は逆送りボタン３６が押された場合には、押されたボタンに応じて記録画像のコマを順送り又は逆送り処理して（ステップＳ３０２）、再生するコマを変更し、ステップＳ３０１に戻る。
【００４５】
ステップＳ３０１で送りボタンが押されていないと判断した場合には、次いで、ＩＤ登録ボタン５０が押されたか否かを判別する（ステップＳ３０４）。ＩＤ登録ボタン５０が押されていなければ、処理はステップＳ３０１に戻り、表示部１０に再生画像を表示し続ける。
【００４６】
ユーザによってＩＤ登録ボタン５０が押されると、被写体ＩＤ追加モードに移行し、図４、図６、又は図７のような所定の表示形態で表示部１０に再生画像と共に被写体ＩＤアイコンを表示する（ステップＳ３０６）。次いで、何れかの被写体ＩＤアイコンが選択されたか否かを判別する（ステップＳ３０８）。ユーザが所望のアイコン表示を得て、人物アイコン３０又はジャンルアイコン４０を選択した場合には、その選択したアイコンに定義付けられた情報（人物ＩＤ又はジャンルＩＤ）を画像データに付加して記録する（ステップＳ３１０）。
【００４７】
他方、ユーザが何れの被写体ＩＤアイコンをも選択しない場合は、ステップＳ３１０の処理を行わずに、処理はステップＳ３１２に進む。
【００４８】
ステップＳ３１０の処理後、又はステップＳ３０８で撮影者が被写体ＩＤアイコンを選択しない場合は、続いてリターンボタン３８が押されたか否かを判別する（ステップＳ３１２）。リターンボタン３８が押されていなければ、処理はステップＳ３０８に戻り、上述のステップＳ３０８〜Ｓ３１２の処理が繰り返され、リターンボタン３８が押されたら、画面表示を図９のような表示に戻し、再生モードに復帰する（ステップＳ３１４）。その後、処理はステップＳ３０１に戻る。これにより、再生中の画像について識別情報を簡単に追加することができる。
【００４９】
次に、アイコンの登録方法について説明する。
【００５０】
初めての人物を撮影して、その人物についての個人情報（人物ＩＤ）を入力したい場合、撮影直後の画面でその登録を行うことができるように構成される。即ち、撮影後のレックレビュー画面（図４、図６、又は図７参照）で、順送りボタン３４又は逆送りボタン３６を操作してアイコンを送っていくと、図１１に示すように登録アイコン５２が表示される。
【００５１】
この登録アイコン５２をタッチすると登録モードに移行し、図１２のように画面上に四角形の枠（登録枠）５４が表示される。この登録枠５４はアイコン化する領域を示す枠であり、ユーザが登録しようとする人物の顔（例えば、画面右の少年）を画面上でタッチすると、その人物の顔の部分に登録枠５４が移動して選択された人物を確認できるようになっている。
【００５２】
このとき、順送りボタン３４及び逆送りボタン３６はそれぞれ、拡大ボタン及び縮小ボタンとしての役割を果たすようにボタン機能が変更され、これらのボタンを操作することで、登録枠５４の拡大／縮小、又は画面の拡大／縮小が可能となる。従って、これらのボタンを必要に応じて操作することで、最適なサイズでアイコン用の画像を選択することができる。
【００５３】
こうして、アイコン化する画像が決定すると、登録枠５４内の画像が自動的にアイコンサイズにリサイズされ、図１２の画面左端のアイコン登録のプレビューエリア５６にプレビュー画像として表示される。ここで、登録ボタン５３を押すとアイコンの登録が行われる。
【００５４】
登録したアイコンの人物に関する個人情報は、図１３に示したようにペン５８等による手書き入力によって、名前、続柄、生年月日、電話番号、勤務先等の必要項目を直接入力してもよいし、画面上に文字キーを表示する等してキー入力してもよい。その他、デジタルスチルカメラを図示せぬパーソナルコンピュータ等と接続して、コンピュータを介して必要な情報をデジタルスチルカメラ側に入力する形態も可能である。
【００５５】
図１４は、撮影時に上述の登録処理を行う場合のメインシーケンスのフローチャートである。図１４中、図５に示したフローチャートと共通する部分には同一のステップ番号を付し、その説明は省略する。
【００５６】
図１４のフローチャートでは、ステップＳ１１６で被写体ＩＤアイコンが押されたことを検出した場合、更に、この時選択されたアイコンが登録アイコン５２であるか否かを判別する処理（ステップＳ１１７）が追加され、登録アイコン５２が押された場合には、ＩＤ登録モードに移行する（ステップＳ１１９）点が図５と異なる。ＩＤ登録モードの処理については後述するが（図１５）、このＩＤ登録モードの処理（ステップＳ１１９）後はステップＳ１２０に進み、以降の処理は図５で説明した通りである。
【００５７】
また、Ｓ１１６で選択されたアイコンが登録アイコン５２でなく、他の人物アイコン等である場合にはステップＳ１８０において、各アイコンに応じた情報が画像に付加され記録される点、及びその後の処理は図５のフローチャートと同様である。
【００５８】
図１５には、ＩＤ登録モードの登録シーケンスのサブルーチンが示されている。図１４のステップＳ１１７において、登録アイコン５２が押されたことが検出され、図１５のＩＤ登録モードの処理がスタートすると、先ず、表示部１０の画面上に図１２の如く登録枠５４を表示する（ステップＳ４０１）。そして、その登録枠５４内の画像を画面左端のプレビューエリア５６に表示する（ステップＳ４０２）。
【００５９】
次いで、拡大・縮小ボタン（符号３４、３６）が押されたか否かを判別し（ステップＳ４０４）、拡大ボタン（図１２の符号３４）が押された場合は、登録枠５４の拡大処理、又は画面の拡大処理を行って（ステップＳ４０６）、ステップＳ４０４に戻る。他方、縮小ボタン（図１２の符号３６）が押された場合は、登録枠５４の縮小処理、又は画面の縮小処理を行って（ステップＳ４０８）、ステップＳ４０４に戻る。
【００６０】
ステップＳ４０４で拡大・縮小ボタンが押されていない場合、次いで、登録ボタン（図１２の符号５３）が押されたか否かを判別する（ステップＳ４１０）。ユーザが所望のアイコン化画像を得て登録ボタン５３を押すと、登録確認の画面が表示される（ステップＳ４１２）。図には示されていないが、この確認用の画面には、ＯＫボタンとキャンセルボタンが表示され、ユーザによって最終的な登録の可否の確認指示が入力される（ステップＳ４１４）。
【００６１】
ここで、キャンセルボタンが押されれば、アイコンの登録を中止して処理はステップＳ４１６に移る。他方、ステップＳ４１４でＯＫボタンが押されると、新規アイコンが登録され、続いて、画像に付加する個人情報（画像付加情報）を入力するか否かを問うボタンが表示される（ステップＳ４１８）。画像付加情報を入力しないことを選択した場合には、登録モードを終了して（ステップＳ４２４）、図１４のメインルーチンに戻る。尚、この場合でも、後で（再生時に）画像付加情報を登録することが可能である。
【００６２】
ステップＳ４１８で画像付加情報を入力することを選択した場合には、例えば、図１３に示したような情報入力画面が表示され、ユーザによる情報入力を受け付ける（ステップＳ４２０）。ユーザがペン５８やキーボード等の入力手段を介して種々の情報を入力した後、入力の確認を行い（ステップＳ４２２）、入力ＮＧ（入力未了）の場合はステップＳ４２０に戻り、情報の再入力を受け付ける。
【００６３】
ステップＳ４２０の情報入力作業が終了し、入力ＯＫである旨を確認したら、これら情報の登録を行い、登録モードを終了する（ステップＳ４２４）。
【００６４】
また、上述のステップＳ４１０において、ユーザが登録ボタン５３を押していない場合は、次いでリターンボタン３８が押されたか否かを判別し（ステップＳ４１６）、リターンボタン３８が押されていなければ、処理はステップＳ４０４に戻り、リターンボタン３８が押された場合には、登録モードを終了して（ステップＳ４２４）図１４のメインルーチンに戻る。このようにして、撮影画像から新たなアイコンを作成することができる。
【００６５】
また、既に登録してあるアイコンの顔を変更（入れ換え）したり、既登録のアイコンやその個人情報を消去することも可能である。例えば、製品販売時には、図１６の符号６０、６１で示したように人物アイコンの部分に、所有者、家族1 など線画だけの空の顔（シルエット）イメージのアイコンだけが登録されており、ユーザがそのシルエットアイコンを順次人物の顔に入れ換えてアイコン登録していくことにより、自分専用のデジタルスチルカメラにカスタマイズすることができる。以下、かかる形態の具体例を説明する。
【００６６】
図１６に示した画面状態で、順送りボタン３４又は逆送りボタン３６を押していくと、アイコン（符号６０、６１）が送り処理され、図１７に示したような登録ボタン６２とアイコン変更ボタン６４とが現れる。ここで、ユーザがアイコン変更ボタン６４を押すと、アイコンの変更モードに移行して図１８のような表示に変わる。
【００６７】
次いで、図１８の画面で順送りボタン３４や逆送りボタン３６を操作して、変更すべきアイコンを順送りボタン３４と逆送りボタン３６の間のエリアに表示させる。図１８では、家族1 のシルエットアイコン６１を表示させた例が示されている。
【００６８】
この状態でアイコン選択ボタン６６をタッチすると、図１９に示したように登録枠５４が表示されるとともに、登録枠５４内の画像がプレビューエリア５６に表示される。登録枠５４の移動並びに拡縮の操作方法については、図１２で説明した通りである。そして、登録ボタン５３が押されると、家族1 のシルエットアイコン６１に代えて登録枠５４内の画像が新たなアイコンとして登録される。
【００６９】
尚、こうしてアイコンの画像が変更されても、個人情報の内容そのものは消失する（入れ替わる）ことはない。従って、既登録の人物の実際の容貌が変わったこと等を理由にアイコンの顔の画像を入れ替えても、同一人物の情報はそのまま利用可能である。
【００７０】
また、後から画像付加情報を入力した場合は、そのデジタルスチルカメラに保存されている画像のうち、当該アイコンによって識別情報が入力されている画像については、全て情報が自動的に更新される。
【００７１】
上述の変更モードのシーケンスのフローチャートを図２０に示す。変更モードがスタートすると、図１８のように表示部１０に撮影画像とともに、被写体ＩＤアイコン（図１８で符号６１）、及びアイコン選択ボタン６６を表示する（ステップＳ５０１）。次いで、送りボタン（符号３４、３６）が押されたか否かを判別する（ステップＳ５０２）。順送りボタン３４が押された場合には、アイコンを順送り処理して（ステップＳ５０４）、他のアイコンに置き換えステップＳ５０２に戻る。また、逆送りボタン３６が押された場合には、アイコンを逆送り処理して（ステップＳ５０６）、他のアイコンに置き換えステップＳ５０６に戻る。
【００７２】
ステップＳ５０６で送りボタン（符号３４、３６）が押されていない場合、次いで、アイコン選択ボタン６６が押されたか否かを判別する（ステップＳ５０８）。アイコン選択ボタン６６が押されていなければ処理はステップＳ５０２に戻り、アイコン選択ボタン６６が押されると、図１９のように画面に登録枠５４を表示する（ステップＳ５１０）。そして、その登録枠５４内の画像を画面左端のプレビューエリア５６に表示する（ステップＳ５１２）。
【００７３】
次いで、拡大・縮小ボタン（図１９の符号３４、３６）が押されたか否かを判別し（ステップＳ５１４）、拡大ボタン（図１９の符号３４）が押された場合は、登録枠５４の拡大処理、又は画面の拡大処理を行った後（ステップＳ５１６）、ステップＳ５１４に戻る。他方、縮小ボタン（図１９の符号３６）が押された場合は、登録枠５４の縮小処理、又は画面の縮小処理を行ってから（ステップＳ５１８）、ステップＳ５１４に戻る。
【００７４】
ステップＳ５１４で拡大・縮小ボタンが押されていない場合、次いで、登録ボタン（図１９の符号５３）が押されたか否かを判別する（ステップＳ５２０）。ユーザが所望のアイコン化画像を得て登録ボタン５３を押すと、登録確認の画面が表示される（ステップＳ５２２）。この確認用画面には、ＯＫボタンとキャンセルボタンが表示され（不図示）、ユーザは最終的な登録の可否を入力するようになっている（ステップＳ５２４）。
【００７５】
ここで、キャンセルボタンが押されれば、アイコンの変更登録を中止して処理はステップＳ５２６に移る。他方、ステップＳ５２４でＯＫボタンが押されると、旧アイコンに代えて登録枠５４で指定したアイコンが新たに登録される。続いて、画像に付加する個人情報（画像付加情報）を入力するか否かを問うボタンが表示される（ステップＳ５２８）。画像付加情報を入力しないことを選択した場合には、変更モードを終了する（ステップＳ５３４）が、この場合でも、後で（再生時に）画像付加情報を登録することが可能である。
【００７６】
ステップＳ５２８で画像付加情報を入力することを選択した場合には、例えば、図１３に示したような情報入力画面が表示され、ユーザによる情報入力を受け付ける（ステップＳ５３０）。ユーザがペン５８やキーボード等の入力手段を介して種々の情報を入力した後、入力の確認を行い（ステップＳ５３２）、入力ＮＧ（入力未了）の場合はステップＳ５３０に戻り、情報の再入力を受け付ける。
【００７７】
ステップＳ５３０の情報入力作業が終了し、入力ＯＫである旨を確認したら、これら情報の登録を行い、変更モードを終了する（ステップＳ５３４）。
【００７８】
また、上述のステップＳ５２０において、ユーザが登録ボタン５３を押していない場合は、次いでリターンボタン３８が押されたか否かを判別し（ステップＳ５２６）、リターンボタン３８が押されていなければ、処理はステップＳ５１２に戻り、リターンボタン３８が押された場合には、変更モードを終了する（ステップＳ５３４）。
【００７９】
次に、アイコンの消去（登録抹消）方法について述べる。アイコンの消去は再生時に限り行うことができるように構成される。即ち、再生時に図４又は図１６の画面から送りボタン（符号３４、３６）を操作し、アイコンを送り処理すると消去ボタン（不図示）が現れる。この消去ボタンを押すと、図２１に示したような消去メニューが表示される。順送りボタン３４や逆送りボタン３６を押して、消去しようとするアイコンの消去メニューを表示させる。かかる消去メニューの画面で消去ボタン６８を押すと、図２２に示すように、アイコンだけを消去するか、個人情報を含む全ての情報を消去するかを問うメッセージと共に消去項目選択のアイコン７０、７１が表示される。
【００８０】
アイコンだけを消去する旨のアイコン７０が選択されると、図２３のような確認のためのダイアログ７２が現れる。この表示に従って消去ボタン６８を押すとアイコンが消去される。この場合、アイコンの人物画像だけが消去され、図１８に示したような購入時の線画（シルエット）のアイコンに戻るが、アイコンに関連付けられている個人情報自体は保存されている。
【００８１】
他方、図２２の画面において、全情報を消去する旨のアイコン７１が選択されると、図２４のような確認のためのダイアログ７３が現れる。この表示に従って消去ボタン６８を押すとアイコン及びアイコンに関連付けられている個人情報を含む全ての情報が消去される。そして、図１８に示したような購入時の線画（シルエット）のアイコンに戻る。
【００８２】
上述の消去モードのシーケンスのフローチャートを図２５に示す。消去モードがスタートすると、図２１で説明したように表示部１０にアイコンに付随する情報と消去ボタン６８とを表示する（ステップＳ６０１）。次いで、送りボタン（符号３４、３６）が押されたか否かを判別する（ステップＳ６０２）。順送りボタン３４が押された場合には、アイコンを順送り処理して（ステップＳ６０４）、他のアイコンに置き換えステップＳ６０１に戻る。また、逆送りボタン３６が押された場合には、アイコンを逆送り処理して（ステップＳ６０６）、他のアイコンに置き換えステップＳ６０１に戻る。
【００８３】
ステップＳ６０１で送りボタン（符号３４、３６）が押されていない場合、次いで、消去ボタン６８が押されたか否かを判別する（ステップＳ６０８）。消去ボタン６８が押されていなければ処理はステップＳ６２６に飛び、リターンボタン３８の押圧判別を行う（ステップＳ６２６）。リターンボタン３８が押されなければ処理はステップＳ６０１に戻り、リターンボタン３８が押された場合には消去モードを終了する（ステップＳ６２８）。
【００８４】
一方、ステップＳ６０８において消去ボタン６８が押されると、図２２で説明したように、消去項目選択のアイコン７０、７１を表示して（ステップＳ６１０）、アイコンだけの消去を行うか、全情報の消去を行うかの選択を受け付ける。そして、ユーザがどちらの消去項目を選択したかを判別する（ステップＳ６１２）。
【００８５】
ユーザがアイコンのみを消去する旨を選択すると、図２３で説明した確認表示を行い（ステップＳ６１４）、消去を実行するか、消去作業を中止するかの最終確認の入力を受け付ける。
【００８６】
次いで、ユーザが消去／キャンセルのどちらを指示したかを判別し（ステップＳ６１６）、ユーザが消去実行を指示する入力をした場合に、アイコンのみの消去を実行し（ステップＳ６１８）、処理はステップＳ６２６に進む。他方、ステップＳ６１６でユーザからキャンセルが指示された時は、消去を中止してステップＳ６２６に進む。
【００８７】
また、上記ステップＳ６１２において、ユーザが全情報を消去する旨を選択すると、図２４で説明した確認表示を行い（ステップＳ６２０）、消去を実行するか、消去作業を中止するかの最終確認の入力を受け付ける。
【００８８】
次いで、ユーザが消去／キャンセルのどちらを指示したかを判別し（ステップＳ６２２）、ユーザが消去実行を指示する入力をした場合に、アイコン及びアイコンに付随する全ての項目の情報を消去して（ステップＳ６２４）、ステップＳ６２６に進む。他方、ステップＳ６２２でユーザからキャンセルが指示された時は、消去作業を中止してステップＳ６２６に進む。
【００８９】
ステップＳ６２６では、リターンボタン３８が押されたか否かを判別し、リターンボタン３８が押されていなければステップＳ６０１の処理に戻り、リターンボタン３８が押された場合は消去モードを終了する（ステップＳ６２８）。
【００９０】
以上述べたように、本実施の形態にかかるデジタルスチルカメラによれば、撮影画像から人物のアイコンを作成するとともに、そのアイコンに当該人物の情報を登録できるようにしたので、アイコンを選択するという簡易な操作によって画像に識別情報を簡単に付加することができる。
【００９１】
また、上実施の形態では、シャッターボタン９によって撮影（レリーズ）の指示を行う場合を述べたが、アイコンのタッチをシャッタートリガーとして利用することも可能である。例えば、撮影時（動画表示中）に図４又は図７のように人物アイコン３０を表示させ、画面に表示された人物アイコン３０をタッチすることにより、画像の記録を行うと同時に、この画像にアイコンの情報が付加されるように構成してもよい。
【００９２】
次に、本発明の第２の実施の形態について説明する。
【００９３】
図２６には、本発明の第２の実施の形態に係るデジタルスチルカメラの外観的構成が示され、図２７にはその内部構成が示されている。本第２の実施の形態中、図１乃至図２５で述べた実施の形態（第１の実施の形態）と同一又は類似の部分には同一の符号を付し、その説明は省略する。
【００９４】
図２６に示したデジタルスチルカメラは、個人情報（画像付加情報）の入力手段としてカード読取部７４が追加されている点で図１のデジタルスチルカメラと相違する。
【００９５】
このデジタルスチルカメラ１の右側面にはカード読取部７４が形成されており、カメラに内蔵されたＣＰＵ２２によってカード読取部７４からの情報取得制御が行われる。
【００９６】
ＩＤカード７６（記録媒体）の記録部７７には、例えば、その人物の顔を表す画像情報、名前、続柄、生年月日、電話番号、勤務先又は学校名等の情報が予め記録されており、ＩＤカード７６をデジタルスチルカメラ１のカード読取部７４の溝に通すと、ＩＤカード７６の情報が読み取られ、記録部７７に記録されている情報がデジタルスチルカメラ１内に取り込まれる。
【００９７】
ＩＤカード７６の形態は、特に限定するものではなく、磁気カードでもよいしＩＣカードでもよい。また、読取方式も、磁気的、光学的、及び電磁的等何れの方式でもよい。尚、ＩＤカード７６に記録した情報のうち、特定の項目の情報についてカードの所有者がプロテクトをかけることによって、撮影画像に取り込まれる情報を選択的に制限できるようにすることが好ましい。
【００９８】
次に、ＩＤカードによる情報の登録方法について説明する。
【００９９】
図２８に示したように、撮影後又は再生時に順送りボタン３４又は逆送りボタン３６を操作してアイコンを送っていくと、ＩＤカード登録ボタン８０が表示される。この画面でＩＤカード登録ボタン８０をタッチすると、ＩＤカード登録モードに移行する。
【０１００】
図２９は、ＩＤカード登録モードのシーケンスのフローチャートである。ＩＤカード登録モードがスタートすると、先ず、カード読取部７４にＩＤカード７６を挿入することを促すメッセージを表示部１０の画面上に表示するなどしてユーザに対してＩＤカード７６の挿入を指示する（ステップＳ７０１）。
【０１０１】
この指示に従って、ユーザがＩＤカード７６をカード読取部７４の溝に通すと、ＩＤカード７６の情報の読み取りが行われる（ステップＳ７０２）。次いで、ＩＤカード７６の情報が読み込まれたた否かを判別し（ステップＳ７０４）、ＩＤカード未挿入、又はＩＤカード読取エラー等の如くＩＤカード７６の情報が読み込まれていない場合、処理は後述のステップＳ７１２に飛ぶ。
【０１０２】
他方ステップＳ７０４でＩＤカード７６を正しく読み込んだ場合には、その取得情報を表示部１０に表示する（ステップＳ７０６）。このとき、画面上には取得情報の登録の可否を確認するＯＫボタンとキャンセルボタンとが表示され、ユーザによる確認の入力を受け付ける。尚、このとき、読み取った被写体情報のうち、アイコンの絵となるその人の顔の画像を表示部１０の左上のエリア１０Ａ等に表示してもよい。
【０１０３】
次いで、ユーザによる確認の指示を判別する（ステップＳ７０８）。ここで、ＯＫボタンが押されたら、ＩＤカード７６から読み込んだ情報の登録を実行し（ステップＳ７１０）、他方、キャンセルボタンが押されれば、ＩＤカード７６から読み込んだ情報の登録を中止する。その後、処理はステップＳ７１２に進み、リターンボタン３８が押された否かを判別する。リターンボタン３８が押されていなければ、処理はステップＳ７０１に戻り、リターンボタン３８が押されたらＩＤカード登録モードを終了する。
【０１０４】
このようにＩＤカード７６による情報入力を行うことによって、アイコン登録の際にアイコン用の画像を抽出したり、各種情報を入力したりという操作が一切不要となり、一層簡単に情報登録を行うことができる。
【０１０５】
上述した第２の実施の形態では、登録すべき情報をＩＤカード７６から読み込む場合を説明したが、情報の取得方法はこれに限らず、他の情報記録媒体を用いてもよい。
【０１０６】
また、電磁的或いは光学的な作用によって離れた場所に情報を発信したり、離れた場所から情報を受信する通信手段を利用して、登録すべき情報を取得する形態も考えられる。
【０１０７】
図３０及び図３１には、通信手段を利用して画像付加情報を被写体から直接受け取ることを可能にした形態（本発明の第３の実施の形態）が示されている。本第３の実施の形態中、既述の第１の実施の形態、及び第２の実施の形態と同一又は類似の部分には同一の符号を付し、その説明は省略する。
【０１０８】
図３０に示したデジタルスチルカメラ１は、カメラの前面に情報の取得手段としてカード読取部（通信部）８２が追加されている点で図１のデジタルスチルカメラと相違する。このカード読取部８２は、図３１に示したＩＤカード８４の情報交信部８５と通信して、そのＩＤカード８４に記録された情報を読み取るものである。尚、通信方式は、光学的でも電磁的でもよいが、光学的通信方式を採用した場合には被写体撮影時にＩＤカードが写ることになるので、電磁的通信方式を採用することが望ましい。
【０１０９】
このデジタルスチルカメラ１の内部構成は、図２７で説明したカード読取部７４を通信部８２で置換した点を除いて図２７の構成と同様である。
【０１１０】
図３１に示したように、ＩＤカード８４を身に付けた被写体８６にカメラを向け、シャッターボタン９を押すと、撮影が行われるとともに、通信部８２を介して被写体８６のＩＤカード８４と交信して、ＩＤカード８４から被写体情報を読み取る。そして、読み取った被写体情報は、撮影画像に自動的に取り込まれ、被写体ＩＤとして登録される。このとき読み取った被写体情報のうち、アイコンの絵となるその人物の顔の画像が画像表示部１０の左上のエリア１０Ａに確認用の画像として表示（点滅表示）される。このように、画像表示部１０の一部のエリア１０Ａに確認用画像を表示することによって被写体８６の人物に間違いが無いかどうかをチェックすることができる。
【０１１１】
また、撮影の対象としていない他の人物が同様のＩＤカード８４を身につけている場合、カメラの向いた方向にいる全ての人の情報がデジタルスチルカメラ１に取り込まれ、撮影画像とともに記録されてしまうという事態も考えられるので、かかる不都合を回避すべく、このカメラで撮影しようとする人物（被写体）については、予めカメラにその人物を特定する情報を一度登録しておき、登録してある人物以外のＩＤカード８４の情報は取り込まないように構成することが好ましい。
【０１１２】
このように、撮影しようとする人物を事前にカメラに登録することによって、無関係な人の情報を取り込むことを防止するとともに、個人情報を第三者に盗まれることを防止する。
【０１１３】
上述の如く通信によってＩＤカード８４の情報を取り込む形態を採用すれば、一層簡単に画像付加情報をカメラに入力することができ、撮影と同時に被写体８６の個人情報を自動的に画像に付加することが可能となる。
【０１１４】
次に、上記第１乃至第３の実施の形態で説明したデジタルスチルカメラで記録した画像の検索手段の一例を説明する。
【０１１５】
上記第１乃至第３の実施の形態の説明では、主として、画像に識別情報を付加する場合を述べたが、付加した識別情報を活用して画像を検索する機能をデジタルスチルカメラに備えることが好ましい。
【０１１６】
図３２には、検索画面の一例が示されている。画像検索モードが選択されると、例えば図３２のような検索画面が表示される。画面左端に検索条件入力用のアイコンが表示され、ユーザは、順送りボタン３４や逆送りボタン３６を操作することによって、人物、ジャンル、年月日等のアイコンを適宜選択し、それらをアンド（＆）やオア（ｏｒ）の連結子で結んで所望の検索条件を入力していく。
【０１１７】
画面上部の検索条件表示欄１０Ｂに表示された現在の検索条件は、送りボタン（符号８８、８９）によって、画面の左右方向にスクロールさせることができる。
【０１１８】
画面左端のアイコンで検索条件を入力していくと、順次その条件に適合した画像のインデックス（縮小画）がインデックス表示部１０Ｃに表示される。インデックス表示部１０Ｃに配列表示されたインデックス画像は、拡大表示ボタン９０で拡大表示させることができるとともに、送りボタン（符号９１、９２）によって画面左側又は右側にスクロールさせることができる。
【０１１９】
このように、検索条件の入力について、識別情報の入力と同様のアイコン形式を採用したことにより検索条件を容易に入力できる。また、画像に付加した情報を活用することで、複数コマ分の画像データの中から検索条件に合った画像を簡単に選別することができ、早期検索が可能となる。
【０１２０】
〔付記〕
また、本明細書は、大量に記録保存した画像データのなかから所望の画像を容易に検索できるように、撮影画像にキーワード等の識別情報を付加する機能を具備したデジタルスチルカメラの分野おいて、撮影画像に対して後の整理・検索に役立つ具体的な識別情報を簡単に付加することができるデジタルスチルカメラを提供することを目的として、以下の発明（１）〜（６）をも開示する。
【０１２１】
すなわち、発明（１）は、撮影レンズ及び撮像素子を介して得られる被写体像を示す画像データを記録部に記録するデジタルスチルカメラにおいて、撮影した画像を表示する表示部と、表示部の前面に配設されたタッチパネルと、前記表示部の画面上にアイコンを表示し、タッチパネルを介してアイコンを選択することによって、そのアイコンに関連付けられている情報の入力を行う入力手段と、前記入力手段から入力した情報を画像データに付加して前記記録部に記録する情報付加手段と、を備えたことを特徴とするデジタルスチルカメラを提供する。
【０１２２】
発明（２）は、発明（１）のデジタルスチルカメラにおいて、さらに、撮影された画像からアイコンを作成するアイコン作成手段と、前記アイコン作成手段で作成したアイコンに関連付ける情報を登録する情報登録手段と、を備えたことを特徴とするデジタルスチルカメラを提供する。
【０１２３】
発明（３）は、発明（１）のデジタルスチルカメラにおいて、さらに、前記タッチパネルを介してアイコンが選択されることによって、被写体像の画像データが記録部に記録されるとともに、そのアイコンに関連づけられている情報が自動的に付加されることを特徴とするデジタルスチルカメラを提供する。
【０１２４】
発明（４）は、発明（１）のデジタルスチルカメラにおいて、さらに、記録媒体に記録されている情報を読み取る読取手段と、前記読取手段から読み取った情報に基づいてアイコンを作成するアイコン作成手段、及び前記読取手段から読み取った情報に基づいてアイコンに関連付ける情報を登録する情報登録手段のうち少なくとも一方の手段を備えたことを特徴とするデジタルスチルカメラを提供する。
【０１２５】
発明（５）は、発明（４）のデジタルスチルカメラにおいて、さらに、前記読取手段は、記録媒体と非接触で通信する通信部を有していることを特徴とするデジタルスチルカメラを提供する。
【０１２６】
発明（６）は、発明（１）のデジタルスチルカメラにおいて、さらに、前記記録部に複数コマ分の画像記録が可能な記憶手段を有し、前記入力手段のアイコンを利用して検索条件を入力する検索条件入力手段と、前記記憶手段に格納された複数コマ部分の画像データのうちから、前記検索条件に適合する画像データを、前記情報記録手段で記録した情報に基づいて検索する画像検索手段と、を備えたことを特徴とするデジタルスチルカメラを提供する。
【０１２７】
上記の発明（１）によれば、デジタルスチルカメラで撮影した画像は表示部に表示されるとともに、この画面上に情報入力用のアイコンが表示される。表示部の前面はタッチパネルが設けられており、ユーザは所望のアイコンを選んでそのアイコンをタッチすることで、そのアイコンに定義付けられた情報が識別情報として画像に付加される。このように、情報の入力手段にアイコン形式を採用したので、画像に識別情報を簡単に付加することができる。
【０１２８】
また、撮影した画像からアイコンを作ることも可能であり、撮影後にアイコン作成手段で新規にアイコンを作り、登録することができる。この場合、新規に作成したアイコンに新しく情報を定義付けしてもよいし、既に登録されているアイコンの画像だけを入れ換え、情報そのものは変更しないようにしてもよい。
【０１２９】
更に、タッチパネルからのアイコンの選択をシャッタートリガーとして兼用し、アイコンをタッチすることにより撮影（被写体像の記録）を行うとともに、その撮影画像に、当該アイコンの情報を付加するようにしてもよい。これにより、情報の入力操作を一層簡略化できる。
【０１３０】
また、発明（１）の他の態様によれば、上記構成のデジタルスチルカメラにおいて更に、記録媒体に記録されている情報を読み取る読取手段と、前記読取手段から読み取った情報に基づいてアイコンを作成するアイコン作成手段、及び前記読取手段から読み取った情報に基づいてアイコンに関連付ける情報を登録する情報登録手段のうち少なくとも一方の手段を備えたことを特徴としている。
【０１３１】
即ち、ＩＤカード等の記録媒体に記録された情報を読取手段で読み取り、読み取った情報に基づいてアイコンを作成したり、アイコンに関連付ける情報を登録することができる。
【０１３２】
読取手段の具体的形態としては、例えば、カードの情報を接触式、或いは非接触式で読み取るカード読取手段でもよいし、記録媒体と電磁的或いは光学的等の作用によって非接触で通信する通信部を有した読取手段でもよい。
【０１３３】
更に、発明（１）の他の態様によれば、前記記録部に複数コマ分の画像記録が可能な記憶手段を有し、前記入力手段のアイコンを利用して検索条件を入力する検索条件入力手段と、前記記憶手段に格納された複数コマ部分の画像データのうちから、前記検索条件に適合する画像データを前記情報記録手段で記録した情報に基づいて検索する画像検索手段と、を備えたことを特徴としている。
【０１３４】
こうして画像に付加した情報を活用することによって、大量に蓄積された画像データの中から検索条件に合った画像を簡単に選別することができ、早期検索が可能となる。
【０１３５】
[発明（１）乃至（６）の効果]
以上説明したように本発明のデジタルスチルカメラによれば、表示部の画面に表示されるアイコンを選択するだけでアイコンに関連付けられている情報を画像とともに記録するようにしたので、簡易な操作によって画像内容を識別する必要な情報を付加することができる。また、こうして付加した情報を活用することで、撮影後に蓄積される画像の整理が容易となり、画像検索も容易となる。
【図面の簡単な説明】
【０１３６】
【図１】本発明の実施の形態に係るデジタルスチルカメラの正面外観図
【図２】図１のデジタルスチルカメラの背面外観図
【図３】デジタルスチルカメラの内部構成を示すブロック図
【図４】デジタルスチルカメラの表示画面の一例を示す図
【図５】デジタルスチルカメラの撮影モードの動作の流れを示すフローチャート
【図６】ジャンルアイコンの表示例を示す図
【図７】ジャンルアイコンの他の表示例を示す図
【図８】図７の表示形態を有するデジタルスチルカメラの撮影シーケンスを示すフローチャート
【図９】画像再生時の表示例を示す図
【図１０】再生モードの動作の流れを示すフローチャート
【図１１】登録ボタンの表示例を示す図
【図１２】アイコン登録の様子を示す図
【図１３】個人情報の入力例を示す図
【図１４】撮影時にアイコンの新規登録処理を行う場合のメインシーケンスのフローチャート
【図１５】撮影時にＩＤ情報の入力及び登録処理を行う場合のサブルーチンのフローチャート
【図１６】製品販売時のアイコンの様子の一例を示す図
【図１７】アイコン変更のメニュー画面の表示例を示す図
【図１８】アイコン選択画面の表示例を示す図
【図１９】アイコン登録の様子を示す図
【図２０】アイコン変更モードの処理の流れを示すフローチャート
【図２１】消去のメニュー画面の表示例を示す図
【図２２】消去項目選択用のアイコンを表示した場合の例を示す図
【図２３】アイコンだけを消去する場合の確認用ダイアログの例を示す図
【図２４】全情報を消去する場合の確認用ダイアログの例を示す図
【図２５】消去モードの処理の流れを示すフローチャート図
【図２６】本発明の第２の実施の形態に係るデジタルスチルカメラの構成図
【図２７】図２６のデジタルスチルカメラの内部構成を示すブロック図
【図２８】ＩＤカード登録メニューの表示例を示す図
【図２９】ＩＤカード登録モードの処理内容を示す図
【図３０】本発明の第３の実施の形態に係るデジタルスチルカメラの構成図
【図３１】図３０に示したデジタルスチルカメラの使用態様を説明するために用いた説明図
【図３２】検索画面の表示例を示す図
【符号の説明】
【０１３７】
１…デジタルスチルカメラ，２…撮像部，８…電源スイッチ，９…シャッターボタン，１０…表示部，１０Ｂ…検索条件表示欄，１２…タッチパネル，１６…内蔵メモリ（記録部），２２…中央処理装置（ＣＰＵ），３０…人物アイコン，４０…ジャンルアイコン，５４…登録枠，７４…カード読取部，７６、８４…ＩＤカード（記録媒体），８２…通信部（カード読取部）
【図１】
2007159152.tif 000003
【図２】
2007159152.tif 000004
【図３】
2007159152.tif 000005
【図４】
2007159152.tif 000006
【図５】
2007159152.tif 000007
【図６】
2007159152.tif 000008
【図７】
2007159152.tif 000009
【図８】
2007159152.tif 000010
【図９】
2007159152.tif 000011
【図１０】
2007159152.tif 000012
【図１１】
2007159152.tif 000013
【図１２】
2007159152.tif 000014
【図１３】
2007159152.tif 000015
【図１４】
2007159152.tif 000016
【図１５】
2007159152.tif 000017
【図１６】
2007159152.tif 000018
【図１７】
2007159152.tif 000019
【図１８】
2007159152.tif 000020
【図１９】
2007159152.tif 000021
【図２０】
2007159152.tif 000022
【図２１】
2007159152.tif 000023
【図２２】
2007159152.tif 000024
【図２３】
2007159152.tif 000025
【図２４】
2007159152.tif 000026
【図２５】
2007159152.tif 000027
【図２６】
2007159152.tif 000028
【図２７】
2007159152.tif 000029
【図２８】
2007159152.tif 000030
【図２９】
2007159152.tif 000031
【図３０】
2007159152.tif 000032
【図３１】
2007159152.tif 000033
【図３２】
2007159152.tif 000034
【手続補正書】
【提出日】平成19年1月23日(2007.1.23)
【手続補正１】
【補正対象書類名】特許請求の範囲
【補正対象項目名】全文
【補正方法】変更
【補正の内容】
【特許請求の範囲】
【請求項１】
人物を表すアイコン画像と人物に関する識別情報との関連づけを行うアイコン登録方法であって、
予め線画により表された人物のシルエットイメージのアイコンが登録されており、
撮像素子を介して取得した撮影画像から人物の顔の部分を含むアイコン用の画像を作成し、
前記シルエットイメージのアイコンを、前記撮影画像から作成したアイコン画像に置き換える処理を行うことを特徴とするアイコン登録方法。
【請求項２】
前記シルエットイメージのアイコン、または前記撮影画像から作成したアイコン画像に置き換えられたアイコンに関連付ける人物の個人情報を入力し、
当該アイコンに関連付ける情報を登録することを特徴とする請求項１記載のアイコン登録方法。
【請求項３】
前記撮影画像から作成したアイコン画像に置き換えられたアイコンについて、さらに、別のアイコン画像に置き換える変更登録が行われることを特徴とする請求項１または２記載のアイコン登録方法。
【請求項４】
前記撮影画像から作成したアイコン画像に置き換えられたアイコンについて、アイコンに関連付けられている前記個人情報を保存しつつ、当該アイコンのアイコン画像を消去する処理を実行でき、該アイコン画像の消去処理によって、前記シルエットイメージのアイコンに戻ることを特徴とする請求項１乃至３の何れか１項に記載のアイコン登録方法。
【請求項５】
請求項１乃至４の何れか１項に記載のアイコン登録方法によって登録したアイコンを選択することにより、当該アイコンに関連付けられている情報を画像データに付加して記録部に記録することを特徴とする識別情報の付加方法。
【請求項６】
前記アイコンに関連付ける情報を、後から入力した場合は、前記記録部に保存されている画像のうち、当該アイコンによって識別情報が付加されている画像については、全て情報が自動的に更新されることを特徴とする請求項５記載の識別情報の付加方法。
【請求項７】
撮影レンズ及び撮像素子を介して得られる被写体像を示す画像データを記録部に記録するデジタルスチルカメラにおいて、
予め線画により表された人物のシルエットイメージのアイコンがカメラ内に登録されており、
前記撮像素子を介して取得した撮影画像から人物の顔の部分を含むアイコン用の画像を作成する手段と、
前記シルエットイメージのアイコンを、前記撮影画像から作成したアイコン画像に置き換える処理を行う手段と、
撮影した画像および前記アイコンを表示する表示部と、
を備えたことを特徴とするデジタルスチルカメラ。
【請求項８】
前記シルエットイメージのアイコン、または前記撮影画像から作成したアイコン画像に置き換えられたアイコンに関連付ける人物の個人情報を入力する手段と、
前記入力された前記個人情報を当該アイコンに関連付けて登録する情報登録手段と、
を備えたことを特徴とする請求項７記載のデジタルスチルカメラ。
【請求項９】
前記撮影画像から作成したアイコン画像に置き換えられたアイコンについて、さらに、別のアイコン画像に置き換える変更登録を行うことができることを特徴とする請求項７または８記載のデジタルスチルカメラ。
【請求項１０】
前記撮影画像から作成したアイコン画像に置き換えられたアイコンについて、アイコンに関連付けられている前記個人情報を保存しつつ、当該アイコンのアイコン画像を消去する手段を備え、該アイコン画像の消去処理によって、前記シルエットイメージのアイコンに戻ることを特徴とする請求項７乃至９の何れか１項に記載のデジタルスチルカメラ。
【請求項１１】
前記アイコンが選択されることにより、当該アイコンに関連付けられている情報を画像データに付加して前記記録部に記録することを特徴とする請求項７乃至１０の何れか１項に記載のデジタルスチルカメラ。
【請求項１２】
前記アイコンに関連付ける情報を、後から入力した場合は、前記記録部に保存されている画像のうち、当該アイコンによって識別情報が付加されている画像について、全て情報が自動的に更新されることを特徴とする請求項１１に記載のデジタルスチルカメラ。
【手続補正３】
【補正対象書類名】明細書
【補正対象項目名】０００５
【補正方法】変更
【補正の内容】
【０００５】
本発明は前記目的を達成するために、人物を表すアイコン画像と人物に関する識別情報との関連づけを行うアイコン登録方法であって、予め線画により表された人物のシルエットイメージのアイコンが登録されており、撮像素子を介して取得した撮影画像から人物の顔の部分を含むアイコン用の画像を作成し、前記シルエットイメージのアイコンを、前記撮影画像から作成したアイコン画像に置き換える処理を行うことを特徴とする。
また、本発明のアイコン登録方法によって登録したアイコンを選択することにより、当該アイコンに関連付けられている情報を画像データに付加して記録部に記録することを特徴とする識別情報の付加方法が提供される。
さらに、本発明によるデジタルスチルカメラは、撮影レンズ及び撮像素子を介して得られる被写体像を示す画像データを記録部に記録するデジタルスチルカメラにおいて、予め線画により表された人物のシルエットイメージのアイコンがカメラ内に登録されており、前記撮像素子を介して取得した撮影画像から人物の顔の部分を含むアイコン用の画像を作成する手段と、前記シルエットイメージのアイコンを、前記撮影画像から作成したアイコン画像に置き換える処理を行う手段と、撮影した画像および前記アイコンを表示する表示部と、を備えたことを特徴とする。